(57)【特許請求の範囲】
【請求項１】
環状に配置された四角形の３以上の第１シートと、
前記第１シートを四角形状に拡張させた状態で支持する３以上の第１フレームと、
前記第１シートに支持される第２シートと、
連結紐又は連結ベルトである連結部とを備えており、
前記第１シートは、上辺部及び第１、第２側辺部を有しており、
前記第２シートは、３以上の辺部を有しており、
前記第１シートの前記上辺部が前記第２シートの前記辺部に各々連結され、隣り合う前記第１シートの前記第１側辺部と前記第２側辺部とが各々連結されており、
前記第１シートのうちの少なくとも一つの前記第１シートの前記第１側辺部と、当該一つの第１シートに隣接する他の前記第１シートの前記第２側辺部との間及び前記一つの第１シートの前記第２側辺部と、当該一つの第１シートに隣接する別の前記第１シートの前記第１側辺部との間には、連結解除手段が設けられており、
前記連結解除手段により、前記一つの第１シートの前記第１側辺部と前記他の第１シートの前記第２側辺部との連結が解除され、前記一つの第１シートの前記第２側辺部と前記別の第１シートの前記第１側辺部との連結が解除された状態で、前記一つの第１シートが、当該一つの第１シートの前記上辺部を支点として上方へ回動可能であり、
前記連結部が、前記他の第１シートの前記第２側辺部の下端と、前記別の第１シートの前記第１側辺部の下端とを連結しているテント。
【請求項２】
環状に配置された四角形の３以上の第１シートと、
前記第１シートを四角形状に拡張させた状態で支持する３以上の第１フレームと、
前記第１シートに支持される第２シートと、
連結紐又は連結ベルトである連結部とを備えており、
前記第１シートは、上辺部及び第１、第２側辺部を有しており、
前記第２シートは、３以上の辺部を有しており、
前記第１シートの前記上辺部が前記第２シートの前記辺部に各々連結され、隣り合う前記第１シートの前記第１側辺部と前記第２側辺部とが各々連結されており、
前記第１シートのうちの少なくとも一つの前記第１シートの前記上辺部と、当該一つの第１シートに隣接する前記第２シートの前記辺部との間及び前記一つの第１シートの前記第１側辺部と、当該一つの第１シートに隣接する他の前記第１シートの前記第２側辺部との間には、連結解除手段が設けられており、
前記連結解除手段により、前記一つの第１シートの前記上辺部と前記第２シートの前記辺部との連結が解除され、前記一つの第１シートの前記第１側辺部と前記他の第１シートの前記第２側辺部との連結が解除された状態で、前記一つの第１シートが、当該第１シートの第２側辺部を支点として側方に回動可能であり、
前記連結部が、前記他の第１シートの前記第２側辺部の下端と、前記一つの第１シートに隣接する別の前記第１シートの前記第１側辺部の下端とを連結しているテント。
【請求項３】
請求項１記載のテントにおいて、
前記一つの第１シートの前記上辺部と前記第２シートの前記辺部との間にも前記連結解除手段が設けられているテント。
【請求項４】
請求項１、２又は３記載のテントにおいて、
前記連結解除手段は面ファスナ又は線ファスナであるテント。
【請求項５】
請求項１〜４の何れかに記載のテントにおいて、
前記第１シート及び第１フレームが４つであり、
前記第２シートが４つの辺部を有しており、
前記テントは、前記第２シートを四角形状に拡張した状態で支持する第２フレームを更に備えているテント。
【請求項６】
請求項１〜４の何れかに記載のテントにおいて、
前記第１フレームは、前記第１シートの中心部に固着された中心軸と、
前記中心軸から放射状に延びた４つの脚部とを有しており、
前記脚部は、前記中心軸に軸支された第１端部と、
前記第１端部の反対側であり且つ前記第１シートの角部に固着された第２端部とを有しており、
前記脚部が前記中心軸を支点として当該脚部が互いに略平行となる閉位置とＸ字状に展開する開位置との間で回動自在となっているテント。
【請求項７】
請求項５記載のテントにおいて、
前記第１、第２フレームは、前記第１、第２シートの中心部に固着された中心軸と、
前記中心軸から放射状に延びた４つの脚部とを有しており、
前記脚部は、前記中心軸に軸支された第１端部と、
前記第１端部の反対側であり且つ前記第１、第２シートの角部に固着された第２端部とを有しており、
前記脚部が前記中心軸を支点として当該脚部が互いに略平行となる閉位置とＸ字状に展開する開位置との間で回動自在となっているテント。
【発明の詳細な説明】
【技術分野】
【０００１】
本発明は、主として屋外で使用されるテントに関する。
【背景技術】
【０００２】
この種のテントとしては、環状に配置された正方形の４つの第１シートと、前記第１シートに支持された正方形の第２シートと、前記第１シートを各々拡張させた状態で支持する４つのＸ字状の第１フレームと、前記第２シートを拡張させた状態で支持するＸ字状の第２フレームとを備えているものがある（特許文献１参照）。第１シートの一つは、対応する前記第１フレームに沿って略く字状（横向き略Ｖ字状）にカットされ、当該カット部からテント内に出入り可能となっている。
【先行技術文献】
【特許文献】
【０００３】
【特許文献１】ＣＮ２００９２０１９６８６２．０号公報
【発明の概要】
【発明が解決しようとする課題】
【０００４】
ところが、前記カット部は、第１シートが略く字状にカットされただけであるので、テント内に出入りし難かった。また、前記テントは、カット部から出入りする構成であるため、個人用のテントとしてしか使用することができなかった。
【０００５】
本発明は、上記事情に鑑みて創案されたものであって、その目的とするところは、内部に出入りがし易く且つ汎用性を向上させることが可能なテントを提供することにある。
【課題を解決するための手段】
【０００６】
上記課題を解決するために、本発明の第１テントは、環状に配置された四角形の３以上の第１シートと、前記第１シートを四角形状に拡張させた状態で支持する３以上の第１フレームと、前記第１シートに支持される第２シートと、連結紐又は連結ベルトである連結部とを備えている。前記第１シートは、上辺部及び第１、第２側辺部を有している。前記第２シートは、３以上の辺部を有している。前記第１シートの前記上辺部が前記第２シートの前記辺部に各々連結され、隣り合う前記第１シートの前記第１側辺部と前記第２側辺部とが各々連結されている。前記第１シートのうちの少なくとも一つの前記第１シートの前記第１側辺部と、当該一つの第１シートに隣接する他の前記第１シートの前記第２側辺部との間及び前記一つの第１シートの前記第２側辺部と、当該一つの第１シートに隣接する別の前記第１シートの前記第１側辺部との間には、連結解除手段が設けられている。前記連結解除手段により、前記一つの第１シートの前記第１側辺部と前記他の第１シートの前記第２側辺部との連結が解除され、前記一つの第１シートの前記第２側辺部と前記別の第１シートの前記第１側辺部との連結が解除された状態で、前記一つの第１シートが、当該一つの第１シートの前記上辺部を支点として上方へ回動可能である。前記連結部が、前記他の第１シートの前記第２側辺部の下端と、前記別の第１シートの前記第１側辺部の下端とを連結している。
【０００７】
このような発明の態様による場合、一つの第１シートが、上辺部を支点として回動し開くようになっている。すなわち、一つの第１シートが開くことにより開放された空間が出入り口となるので、第１テント内に出入りし易くなる。しかも、一つの第１シートが、上辺部を支点として回動し開くことにより、テントの形態が変わる。また、一つの第１シートが開いた状態で、他のテントや車等に接続することが可能であるので、第１テントは個人用のテントとしてだけでなく、運動会やイベント等の集会用テントとしても使用することができる。すなわち、第１テントの使用用途が広がるので、第１テントの汎用性を向上させることができる。
連結部が他の第１シートの第２側辺部の下端と、別の第１シートの第１側辺部の下端とを連結しているので、一つの第１シートが開いた状態で、他のシートの第２側辺部と、別の第１シートの第１側辺部との間が離間することを防ぎ、当該離間により第１テントの展開状態が不安定になるのを抑止することができる。
【０００８】
本発明の第２テントは、環状に配置された四角形の３以上の第１シートと、前記第１シートを四角形状に拡張させた状態で支持する３以上の第１フレームと、前記第１シートに支持される第２シートと、連結紐又は連結ベルトである連結部とを備えている。前記第１シートは、上辺部及び第１、第２側辺部を有している。前記第２シートは、３以上の辺部を有している。前記第１シートの前記上辺部が前記第２シートの辺部に各々連結され、隣り合う前記第１シートの前記第１側辺部と前記第２側辺部とが各々連結されている。前記第１シートのうちの少なくとも一つの前記第１シートの前記上辺部と、当該一つの第１シートに隣接する前記第２シートの前記辺部との間及び前記一つの第１シートの前記第１側辺部と、当該一つの第１シートに隣接する他の前記第１シートの前記第２側辺部との間には、連結解除手段が設けられている。前記連結解除手段により、前記一つの第１シートの前記上辺部と前記第２シートの前記辺部との連結が解除され、前記一つの第１シートの前記第１側辺部と前記他の第１シートの前記第２側辺部との連結が解除された状態で、前記一つの第１シートは、当該第１シートの第２側辺部を支点として側方に回動可能である。前記連結部が、前記他の第１シートの前記第２側辺部の下端と、前記一つの第１シートに隣接する別の前記第１シートの前記第１側辺部の下端とを連結している。
【０００９】
このような発明の態様による場合、一つの第１シートが、第２側辺部を支点として回動し開くようになっている。すなわち、一つの第１シートが開くことにより形成された空間が出入り口となるので、第２テント内に出入りし易くなる。しかも、一つの第１シートが、上辺部を支点として回動し開くことにより、テントの形態が変わる。また、一つの第１シートが開いた状態で、他のテントや車等に接続することが可能であるので、第２テントは個人用のテントとしてだけでなく、運動会やイベント等の集会用テントとしても使用することができる。すなわち、第２テントの使用用途が広がるので、第２テントの汎用性を向上させることができる。
連結部が他の第１シートの第２側辺部の下端と、別の第１シートの第１側辺部の下端とを連結しているので、一つの第１シートが開いた状態で、他のシートの第２側辺部と、別の第１シートの第１側辺部との間が離間することを防ぎ、当該離間により第１テントの展開状態が不安定になるのを抑止することができる。
【００１１】
前記第１テントは、前記一つの第１シートの上辺部と前記第２シートの辺部との間にも前記連結解除手段が設けられた態様とすることが可能である。このような発明の態様による場合、連結解除手段により、前記一つの第１シートの前記第１、第２側辺部と前記他の第１シートの前記第２、第１側辺部との連結及び前記一つの第１シートの前記上辺部と前記第２シートの前記辺部との連結が解除可能となる。よって、一つの第１シートは、当該第１シートの第１、第２側辺部と隣接する他の第１シートの第２、第１側辺部との連結が解除された状態で、当該一つの第１シートの前記上辺部を支点として回動させたり、当該一つの第１シートの上辺部、第１側辺部と隣接する第２シートの辺部、他の第１シートの第２側辺部との連結が解除された状態で、当該一つの第１シートの第２側辺部を支点として回動させたり、当該一つの第１シートの第１、第２側辺部及び上辺部と他の第１シートの第２、第１側辺部及び第２シートの辺部との連結が解除された状態で、当該一つの第１シートを第１テントから取り外したりすることができる。よって、第１テントの汎用性を更に向上させることができる。
【００１２】
前記連結解除手段は面ファスナ又は線ファスナとすることが可能である。
【００１３】
前記第１シート及び第１フレームが４つであり、前記第２シートが４つの辺部を有している場合、前記第１、第２テントは、前記第２シートを四角形状に拡張した状態で支持する第２フレームを更に備えた構成とすることが可能である。
【００１４】
前記第１フレームは、前記第１シートの中心部に固着された中心軸と、前記中心軸から放射状に延びた４つの脚部とを有する構成とすることが可能である。前記脚部は、前記中心軸に軸支された第１端部と、前記第１端部の反対側であり且つ前記第１シートの角部に固着された第２端部とを有している。前記脚部が前記中心軸を支点として当該脚部が互いに略平行となる開位置との間で回動自在となっている。
【００１５】
前記第１、第２フレームは、前記第１、第２シートの中心部に固着された中心軸と、前記中心軸から放射状に延びた４つの脚部とを有する構成とすることが可能である。前記脚部は、前記中心軸に軸支された第１端部と、前記第１端部の反対側であり且つ前記第１、第２シートの角部に固着された第２端部とを有している。前記脚部が前記中心軸を支点として当該脚部が互いに略平行となる閉位置とＸ字状に展開する開位置との間で回動自在となっている。
【図面の簡単な説明】
【００１６】
【図１Ａ】本発明の実施例１に係るテントの正面図である。
【図１Ｂ】前記テントの背面図である。
【図１Ｃ】前記テントの平面図である。
【図１Ｄ】前記テントの底面図である。
【図１Ｅ】前記テントの右則面図である。
【図１Ｆ】前記テントの左側面図である。
【図１Ｇ】前記テントの正面、平面及び右側面図を表した斜視図である。
【図２Ａ】前記テントの図１Ａ中のＡ−Ｂの交差領域の拡大図である。
【図２Ｂ】前記テントの図１Ａ中のＣ−Ｅの交差領域の拡大図である。
【図２Ｃ】前記テントの図１Ａ中のＡ−Ｄの交差領域の拡大図である。
【図３Ａ】前記テントのシートとフレームとの関係を示す説明図である。
【図３Ｂ】前記テントのフレームの中心軸及び脚部の第１端部との接続を示す拡大図である。
【図４Ａ】前記テントの一つのシートが上に開いた状態を示す正面図である。
【図４Ｂ】前記テントの一つのシートが横に開いた状態を示す正面図である。
【図５Ａ】前記テントの一つのシートが上に開いた状態を示す右側面図である。
【図５Ｂ】前記テントの一つのシートが横に開いた状態を示す右側面図である。
【図６Ａ】前記テントの二つのシートが上に開いた状態を示す右側面図である。
【図６Ｂ】前記テントの二つのシートが横に開いた状態を示す右側面図である。
【図６Ｃ】前記テントの一つのシートが上に開き、一つのシートが横に開いた状態を示す右側面図である。
【発明を実施するための形態】
【００１７】
以下、本発明の実施例１に係るテントについて図１Ａ〜図６Ｃを参照しつつ説明する。
【実施例１】
【００１８】
図１Ａ〜図１Ｇに示すテントは、シート１００ａ〜１００ｄ（第１シート）と、シート１００ｅ（第２シート）と、Ｘ字状のフレーム２００ａ〜２００ｄ（第１フレーム）と、Ｘ字状のフレーム２００ｅ（第２フレーム）と、線ファスナ３００ａ、３００ｂ（連結解除手段）と、連結紐４００ａ、４００ｂ（連結部）を備えている。以下、前記テントの各構成要素について詳しく説明する。
【００１９】
シート１００ａ〜１００ｄは、ナイロンタフタやポリエステルタフタ等の四角形の防水性を有する布地であって、角環状に配置されている。シート１００ｅは、シート１００ａ〜１００ｄに支持されたナイロンタフタやポリエステルタフタ等の四角形の防水性を有する布地である。シート１００ａ〜１００ｅは、外面と、内面とを有している。シート１００ａ〜１００ｅの外面の中央部には、紐状のハンドル１０１ａ〜１０１ｅが設けられている。シート１００ａ〜１００ｅの内面の４つ角部には、ポケット１０２ａ〜１０２ｅが設けられている。
【００２０】
フレーム２００ａ〜２００ｅは、図３Ａに示すように、シート１００ａ〜１００ｅの内面に取り付けられている。フレーム２００ａ〜２００ｅは、中心軸２１０ａ〜２１０ｅと、４本の脚部２２０ａ〜２２０ｅとを有している。中心軸２１０ａ〜２１０ｅは、シート１００ａ〜１００ｅの内面の中央部（ハンドル１０１ａ〜１０１ｅの裏側部分）に固着された円柱である。中心軸２１０ａ〜２１０ｅのシート対向面には、図３Ｂに示すように４つのスリット２１１ａ〜２１１ｅが設けられている。脚部２２０ａ〜２２０ｅは、中心軸２１０ａ〜２１０ｅから放射状に延びたポールである。脚部２２０ａ〜２２０ｅは、長さ方向の第１端部２２１ａ〜２２１ｅと、その反対側の第２端部２２２ａ〜２２２ｅとを有している。第１端部２２１ａ〜２２１ｅはスリット２１１ａ〜２１１ｅに挿入され、中心軸２１０ａ〜２１０ｅに軸支されている。これにより、脚部２２０ａは、中心軸２１０ａ〜２１０ｅを支点として当該脚部２２０ａが略平行に配置される閉位置とＸ字状に展開される開位置との間で回動自在となっている。第２端部２２２ａ〜２２２ｅは、シート１００ａ〜１００ｅのポケット１０２ａ〜１０２ｅに挿入されている。
【００２１】
中心軸２１０ａ〜２１０ｅを挟んで対向する２つの脚部２２０ａ〜２２０ｅの長さ寸法は、シート１００ａ〜１００ｅの対角線の長さよりも長い。換言すると、中心軸２１０ａ〜２１０ｅを挟んで対向する２つの脚部２２０ａ〜２２０ｅの第２端部２２２間の距離が、シート１００ａ〜１００ｅの対角線の長さよりも長い。このため、脚部２２０ａ〜２２０ｅは前記開位置に位置したとき、中心軸２１０ａ〜２１０ｅを中心として外側に湾曲する。これにより、フレーム２００ａ〜２００ｅが、シート１００ａ〜１００ｅを外側に押圧し、当該シート１００ａ〜１００ｅが四角形状に拡張した状態で支持される。脚部２２０ａ〜２２０ｅは前記閉位置に位置したとき、シート１００ａ〜１００ｅは、固着された中心軸２１０ａ〜２１０ｅに引っ張られ、フレーム２００ａ〜２００ｅと共に折り畳まれる。
【００２２】
また、シート１００ａ〜１００ｄは、第１、第２側辺部１１０ａ〜１１０ｄ、１２０ａ〜１２０ｄと、上辺部１３０ａ〜１３０ｄと、下辺部とを有している。シート１００ｅは、４つの辺部１１０ｅ〜１４０ｅを有している。上辺部１３０ｂと辺部１２０ｅとは連結されている。上辺部１３０ｄと辺部１４０ｅとは連結されている。換言すると、シート１００ｂ、１００ｄ及び１００ｅは連続したシートとなっている。
【００２３】
線ファスナ３００ａは、図１Ａ、図１Ｇ及び図２Ａ〜図２Ｃに示すように、隣接する第１側辺部１１０ａと第２側辺部１２０ｂとの間、隣接する上辺部１３０ａと辺部１１０ｅとの間及び隣接する第１側辺部１１０ｄと第２側辺部１２０ａとの間に設けられている。すなわち、線ファスナ３００ａが、隣接する第１側辺部１１０ａと第２側辺部１２０ｂとの間、隣接する上辺部１３０ａと辺部１１０ｅとの間及び隣接する第１側辺部１１０ｄと第２側辺部１２０ａとの間を着脱自在に連結している。線ファスナ３００ａは２つのスライダ３１１ａ、３１２ａを有している。このスライダ３１１ａ、３１２ａを移動させることで、隣接する第１側辺部１１０ａと第２側辺部１２０ｂとの間、隣接する上辺部１３０ａと辺部１１０ｅとの間及び／又は隣接する第１側辺部１１０ｄと第２側辺部１２０ａとの間が連結されたり当該連結が解除されたりする。
【００２４】
線ファスナ３００ｂは、図１Ｂに示すように、隣接する第１側辺部１１０ｃと第２側辺部１２０ｄとの間、隣接する上辺部１３０ｃと辺部１３０ｅとの間及び隣接する第１側辺部１１０ｂと第２側辺部１２０ｃとの間に設けられている。すなわち、線ファスナ３００ｂが、隣接する第１側辺部１１０ａと第２側辺部１２０ｂとの間、隣接する上辺部１３０ａと辺部１１０ｅとの間及び隣接する第１側辺部１１０ｄと第２側辺部１２０ａとの間を着脱自在に連結している。線ファスナ３００ｂは、２つのスライダを有している。スライダを移動させることで、隣接する第１側辺部１１０ａと第２側辺部１２０ｂとの間、隣接する上辺部１３０ａと辺部１１０ｅとの間及び／又は隣接する第１側辺部１１０ｄと第２側辺部１２０ａとの間が連結されたり当該連結が解除されたりする。
【００２５】
連結紐４００ａは、シート１００ｂの第２側辺部１２０ｂの下端とシート１００ｄの第１側辺部１１０ｄの下端とを連結する紐である。連結紐４００ｂは、シート１００ｂの第１側辺部１１０ｂの下端とシート１００ｄの第２側辺部１２０ｄの下端とを連結する紐である。
【００２６】
以下、上述したテントの使用方法について詳しく説明すると共に、使用時のテントの各部の動作について併せて説明する。
【００２７】
フレーム２００ａ〜２００ｅの脚部２２０ａ〜２２０ｂが閉位置に位置した状態で、フレーム２００ａ〜２００ｅ及びシート１００ａ〜１００ｅが折り畳まれている。これがテントの折り畳み状態である。この折り畳み状態で、シート１００ａ〜１００ｄのハンドル１０１ａ〜１０１ｅを外側に引っ張ると、フレーム２００ａ〜２００ｅの中心軸２１０ａ〜２１０ｅが外側に引っ張られる。これにより、脚部２２０ａ〜２２０ｅが閉位置から開位置にかけて回動する。脚部２２０ａ〜２２０ｅが開位置に位置すると、脚部２２０ａ〜２２０ｅが中心軸２１０ａ〜２１０ｅを中心として外側に湾曲し、当該脚部２２０ａ〜２２０及び中心軸２１０ａ〜２１０ｅがシート１００ａ〜１００ｅを外側に押圧する。これによりシート１００ａ〜１００ｅが四角形状に拡張した状態でフレーム２００ａ〜２００ｅに支持される。これがテントの展開状態である。
【００２８】
展開状態において、テント内に出入りするときには、線ファスナ３００ａのスライダ３１１ａを隣接する第１側辺部１１０ａと第２側辺部１２０ｂとの間の下端から上端にかけて移動させると共に、スライダ３１２ａを隣接する第１側辺部１１０ｄと第２側辺部１２０ａとの間の下端から上端にかけて移動させる。これにより、第１側辺部１１０ａと第２側辺部１２０ｂとの連結が解除されると共に、隣接する第１側辺部１１０ｄと第２側辺部１２０ａとの連結が解除される。すなわち、シート１００ａは、上辺部１３０ａのみがシート１００ｅの辺部１１０ｅに線ファスナ３００ａで連結されていることとなる。この状態で、図４Ａ及び図５Ａに示すように、シート１００ａを、上辺部１３０ａを支点として上方に回動させると、テントのシート１００ａで閉塞された部分が開放される。この開放部が出入り口となる。また、回動させたシート１００ａの下辺部を車や他のテントに連結させることができる。
【００２９】
又は、線ファスナ３００ａのスライダ３１１ａを隣接する第１側辺部１１０ａと第２側辺部１２０ｂとの間の下端から上辺部１３０ａと辺部１１０ｅとの間のシート１００ｄ側の端まで移動させる。これにより、第１側辺部１１０ａと第２側辺部１２０ｂとの連結が解除されると共に、上辺部１３０ａと辺部１１０ｅとの連結が解除される。すなわち、シート１００ａは、第２側辺部１２０ａのみが第１側辺部１１０ｄに線ファスナ３００ａで連結されていることとなる。この状態で、図４Ｂ及び図５Ｂに示すように、シート１００ａを、第２側辺部１２０ａを支点として側方に回動させると、テントのシート１００ａで閉塞された部分が開放される。この開放部が出入り口となる。また、回動させたシート１００ａの第１側辺部１１０ａを車や他のテントに連結させることができる。なお、線ファスナ３００ａのスライダ３１２ａを隣接する第１側辺部１１０ｄと第２側辺部１２０ａとの間の下端からから上辺部１３０ａと辺部１１０ｅとの間のシート１００ｂ側の端まで移動させ、シート１００ａを、第１側辺部１１０ａを支点として側方に回動させることもできる。
【００３０】
また、図６Ａ、図６Ｂ及び図６Ｃに示すように、線ファスナ３００ａと同様に、線ファスナ３００ｂのスライダを移動させて、シート１００ｃを、上辺部１３０ｃを支点として上方に回動させたり第１側辺部１１０ｃ又は第２側辺部１２０ｃを支点として側方に回動させたりすることができる。
【００３１】
以上のようなテントによる場合、線ファスナ３００ａにより隣接する第１側辺部１１０ａと第２側辺部１２０ｂとの間、隣接する上辺部１３０ａと辺部１１０ｅとの間及び／又は隣接する第１側辺部１１０ｄと第２側辺部１２０ａとの間の連結を解除させることができる。この連結を解除した状態で、シート１００ａを第１、第２側辺部１１０ａ、１２０ａ又は上辺部１３０ａを支点として回動させ、テントのシート１００ａで閉塞された部分を開放させることができる。同様に、線ファスナ３００ｂにより隣接する第１側辺部１１０ｃと第２側辺部１２０ｄとの間、隣接する上辺部１３０ｃと辺部１３０ｅとの間及び／又は隣接する第１側辺部１１０ｂと第２側辺部１２０ｃとの間の連結を解除させることができる。この連結を解除した状態で、シート１００ｃを第１、第２側辺部１１０ｃ、１２０ｃ又は上辺部１３０ｃを支点として回動させ、テントのシート１００ｃで閉塞された部分を開放させることができる。テントの開放された部分は出入り口となるので、テント内に出入りし易くなる。また、シート１００ａ及び／又はシート１００ｃを回動させることで、テントの形態を変化させることができるので、使用用途が広がる。また、回動させたシート１００ａ及び／又はシート１００ｃを車や他のテントに連結させることもできる。よって、テントの汎用性を向上させることもできる。
【００３２】
しかも、連結紐４００ａでシート１００ｂの第２側辺部１２０ｂの下端とシート１００ｄの第１側辺部１１０ｄの下端とが連結されており、連結紐４００ｂでシート１００ｂの第１側辺部１１０ｂの下端とシート１００ｄの第２側辺部１２０ｄの下端とが連結されている。よって、シート１００ａ及び／又はシート１００ｃを回動させることにより（開くことにより）、シート１００ｂの第２側辺部１２０ｂとシート１００ｄの第１側辺部１１０ｄとの間及び／又はシート１００ｂの第１側辺部１１０ｂとシート１００ｄの第２側辺部１２０ｄとの間が離間することを防ぐことができる。よって、前記離間により、テントの展開状態が不安定になるのを抑止することができる。
【００３３】
なお、上述したテントは、上記実施例１に限定されるものではなく、特許請求の範囲の記載範囲において任意に設計変更することが可能である。以下、詳しく述べる。
【００３４】
上記実施例１では、テントは、角環状に配置された四角形のシート１００ａ〜１００ｄ（第１シート）を備えているとした。しかし、本発明に係るテントは、環状に配置された四角形の第１シートを少なくとも３つ備えており、隣り合う前記第１シートの前記第１側辺部と前記第２側辺部とが連結されている限り任意に設計変更することが可能である。例えば、前記テントは、三角形状に配置された３つの第１シートを備えた構成としたり、多角形状に配置された５以上の第１シートを備えた構成としたりすることが可能である。
【００３５】
上記実施例１では、シート１００ｅ（第２シート）は四角形であり且つ辺部１１０ｅ〜１４０ｅを有するとした。しかし、第２シートは、第１シートに支持されており且つ少なくとも３つの辺部を有する限り任意に設計変更することが可能である。例えば、３つの第１シートが三角形状に配置される場合には、第２シートは三角形状とし且つ第１シートの上辺に連結される３つの辺部を有する構成とすることが可能である。５以上の第１シートが多角形状に配置される場合には、第２シートは多角形状とし且つ第１シートの上辺に連結される５以上の辺部を有する構成とすることが可能である。
【００３６】
上記実施例１では、隣接する第１側辺部１１０ａと第２側辺部１２０ｂとの間、隣接する上辺部１３０ａと辺部１１０ｅとの間及び隣接する第１側辺部１１０ｄと第２側辺部１２０ａとの間に線ファスナ３００ａ（連結解除手段）が設けられ、隣接する第１側辺部１１０ｃと第２側辺部１２０ｄとの間、隣接する上辺部１３０ｃと辺部１３０ｅとの間及び隣接する第１側辺部１１０ｂと第２側辺部１２０ｃとの間に線ファスナ３００ｂ（連結解除手段）が設けられているとした。しかし、本発明は、下記の第１、第２の何れかの構成である限り任意に設計変更することが可能である。
【００３７】
第１は、第１シートのうちの少なくとも一つの前記第１シートの前記第１側辺部と、当該一つの第１シートに隣接する他の前記第１シートの前記第２側辺部との間及び前記一つの第１シートの前記第２側辺部と、当該一つの第１シートに隣接する他の前記第１シートの前記第１側辺部との間に連結解除手段が設けられており、前記連結解除手段により、前記一つの第１シートの前記第１、第２側辺部と前記他の第１シートの前記第２、第１側辺部との連結が解除された状態で、前記一つの第１シートは、当該一つの第１シートの前記上辺部を支点として回動可能な構成であることである。第２は、前記第１シートのうちの少なくとも一つの前記第１シートの前記上辺部と、当該一つの第１シートに隣接する前記第２シートの前記辺部との間及び前記一つの第１シートの前記第１側辺部と、当該一つの第１シートに隣接する他の前記第１シートの前記第２側辺部との間には、連結解除手段が設けられており、前記連結解除手段により、前記一つの第１シートの前記上辺部と前記第２シートの前記辺部との連結が解除され、前記一つの第１シートの前記第１側辺部と前記他の第１シートの前記第２側辺部との連結が解除された状態で、前記一つの第１シートは、当該第１シートの第２側辺部を支点として回動可能な構成であることである。
【００３８】
例えば、線ファスナ３００ａで、隣接する第１側辺部１１０ａと第２側辺部１２０ｂとの間及び隣接する第１側辺部１１０ｄと第２側辺部１２０ａとの間を着脱可能に連結した構成としたり、線ファスナ３００ａで、隣接する第１側辺部１１０ａと第２側辺部１２０ｂとの間及び隣接する上辺部１３０ａと辺部１１０ｅとの間を着脱可能に連結した構成としたりすることができる。前者の場合、隣接する上辺部１３０ａと辺部１１０ｅとは連結され、シート１００ａとシート１００ｅとが連続する布地となる。後者の場合、隣接する第１側辺部１１０ｄと第２側辺部１２０ａとは連結され、シート１００ｄとシート１００ａとが連続する布地となる。
【００３９】
上記実施例１では、連結解除手段として線ファスナ３００ａ、３００ｂを用いるとしたが、シート間を着脱自在に連結可能な面ファスナ等の他の連結解除手段を用いることが可能である。なお、線ファスナは、少なくとも一つのスライダを有していれば良い。
【００４０】
上記実施例１では、フレーム２００ａ〜２００ｄ（第１フレーム）は、中心軸２１０ａ〜２１０ｄと、脚部２２０ａ〜２２０ｄとを有するＸ字状であるとした。しかし、第１フレームは、第１シートを四角形状に拡張した状態で支持し得るものである限り任意に設計変更することが可能である。例えば、第１フレームは、第１シートの第１、第２側辺部及び上辺部に沿って配置されたポールで、第１シートを四角形状に拡張した状態で支持する構成とすることが可能である。また、上記実施例１では、テントは、フレーム２００ａ〜２００ｄ（第１フレーム）を備えているとしたが、少なくとも３つの第１フレームを備えている限り任意に設計変更することが可能である。
【００４１】
上記実施例１では、脚部２２０ａ〜２２０ｅの第２端部２２２ａ〜２２２ｅは、シート１００ａ〜１００ｅのポケット１０２ａ〜１０２ｅに挿入されているとした。しかし、脚部の第２端部は、シートの角部に固着されていれば良い。
【００４２】
上記実施例１では、テントは、シート１００ｅ（第２シート）を四角形状に拡張した状態で支持するフレーム２００ｅ（第２フレーム）を備えているとした。しかし、第２フレームは省略することが可能である。また、第２フレームは、第２シートを拡張した状態で支持することができるものである限り、任意に設計変更することが可能である。
【００４３】
上記実施例１では、連結紐４００ａ（連結部）が、シート１００ｂの第２側辺部１２０ｂの下端とシート１００ｄの第１側辺部１１０ｄの下端とを連結し、連結紐４００ｂ（連結部）が、シート１００ｂの第１側辺部１１０ｂの下端とシート１００ｄの第２側辺部１２０ｄの下端とを連結しているとした。しかし、連結部は、上記一つの第１シートの第１側辺部に隣接する他の第１シートの前記第２側辺部と、前記一つの第１シートの第２側辺部に隣接する他の第１シートの前記第１側辺部との間を連結し得るものである限り任意に設計変更することが可能である。例えば、連結部としてベルト等を用いることが可能である。
【００４４】
なお、上記実施例１では、テントの各部を構成する素材、形状、寸法、数及び配置等はその一例を説明したものであって、同様の機能を実現し得る限り任意に設計変更することが可能である。
【符号の説明】
【００４５】
１００ａ〜１００ｄ・・・・シート（第１シート）
１１０ａ〜１１０ｄ・・・第１側辺部
１２０ａ〜１２０ｄ・・・第２側辺部
１３０ａ〜１３０ｄ・・・上辺部
１００ｅ・・・・・・・・・シート（第２シート）
１１０ｅ〜１４０ｅ・・・辺部
２００ａ〜２００ｄ・・・・フレーム（第１フレーム）
２１０ａ〜２１０ｄ・・・中心軸
２２０ａ〜２２０ｄ・・・脚部
２２１ａ〜２２１ｄ・・第１端部
２２２ａ〜２２２ｄ・・第２端部
２００ｅ・・・・・・・・・フレーム（第２フレーム）
２１０ｅ・・・・・・・・中心軸
２２０ｅ・・・・・・・・脚部
２２１ｅ・・・・・・・第１端部
２２２ｅ・・・・・・・第２端部
３００ａ、３００ｂ・・・・線ファスナ（連結解除手段）
４００ａ、４００ｂ・・・・連結紐（連結部）
【図１Ａ】
0005711627.tif 000002
【図１Ｂ】
0005711627.tif 000003
【図１Ｃ】
0005711627.tif 000004
【図１Ｄ】
0005711627.tif 000005
【図１Ｅ】
0005711627.tif 000006
【図１Ｆ】
0005711627.tif 000007
【図１Ｇ】
0005711627.tif 000008
【図２Ａ】
0005711627.tif 000009
【図２Ｂ】
0005711627.tif 000010
【図２Ｃ】
0005711627.tif 000011
【図３Ａ】
0005711627.tif 000012
【図３Ｂ】
0005711627.tif 000013
【図４Ａ】
0005711627.tif 000014
【図４Ｂ】
0005711627.tif 000015
【図５Ａ】
0005711627.tif 000016
【図５Ｂ】
0005711627.tif 000017
【図６Ａ】
0005711627.tif 000018
【図６Ｂ】
0005711627.tif 000019
【図６Ｃ】
0005711627.tif 000020